(57)【要約】    【課題】プラスチックボトルが逆立てられうる高粘度液体用容器のキャップ２の提供。    【解決手段】本発明に係る高粘度液体用容器のキャップ２は、胴体４と封止体６とを備えている。この胴体４の最大幅に対するこの封止体６の最大幅の比は、１．０１以上３．００以下である。このキャップ２では、この封止体６は、閉塞板１６とその半径方向外側にフランジ２０とを備えている。このフランジ２０の上面３２は、平面とされている。このフランジ２０の上面３２は、キャップ２の高さ方向において最大高さとなる位置にある。この高粘度液体用容器に取り付けられるキャップ２には、その封止体６にフランジ２０が備えられているので、このキャップ２が装着されたプラスチックボトルは逆立てられた状態で安定に静置されうる。【選択図】図１
2006240634.tif 000002
【特許請求の範囲】
【請求項１】
胴体と封止体とを備えており、
この胴体の最大幅に対するこの封止体の最大幅の比が、１．０１以上３．００以下である高粘度液体用容器のキャップ。
【請求項２】
上記封止体が、閉塞板とその半径方向外側にフランジとを備えており、
このフランジの上面が、平面とされており、
このフランジの上面が、キャップの高さ方向において最大高さとなる位置にある請求項１に記載のキャップ。
【請求項３】
上記胴体が、ボトル嵌合部を備えており、
このボトル嵌合部が、その内側面に雌ネジを備えている請求項１又は２に記載のキャップ。
【請求項４】
キャップを備えており、
このキャップが、胴体と封止体とを備えており、
この胴体の最大幅に対するこの封止体の最大幅の比が、１．０１以上３．００以下である高粘度液体用容器。
【発明の詳細な説明】
【技術分野】
【０００１】
本発明は、高粘度液体用容器のキャップに関する。
【背景技術】
【０００２】
シャンプーの容器には、プラスチックボトルが用いられる。このボトルの上部には、注ぎ口が備えられたキャップが装着されている。シャンプーが使用されるとき、この注ぎ口が下にされた後、このシャンプーの自重による垂下と使用者によるこのボトルの側壁の圧縮とによって、シャンプーが排出される。
【０００３】
そのコストが抑えられるために、ボトルの内容量が５００ｃｍ３から７００ｃｍ３とされた大容量タイプのプラスチックボトルが用いられる場合がある。このようなボトルには、ディスペンサーが取り付けられる。このディスペンサーには、アキュームレーターと誘導管とが備えられる。このボトルでは、ディスペンサーのサドルヘッドが上下されるだけで、このボトルの内部からシャンプーが排出される。このボトルの場合、シャンプーが排出されるために、注ぎ口が下にされる必要はない。なお、リンス、トリートメント、コンディショナー、ボディーソープ等の液体においても、同様のプラスチックボトルが用いられている。
【発明の開示】
【発明が解決しようとする課題】
【０００４】
シャンプーの残量が少なくなると、プラスチックボトル内におけるシャンプーの液面の位置はこのボトルの注ぎ口から遠ざかる。シャンプーの粘度は高いので、その注ぎ口が下にされてからシャンプーが排出されるまでの時間は次第に長くなる。この場合、プラスチックボトルは、逆立てられた状態で静置される。この状態で静置されたプラスチックボトルでは、シャンプーがその自重により垂下するので、シャンプーは注ぎ口に貯まる。その注ぎ口にシャンプーが貯められているボトルでは、注ぎ口の蓋が開けられると直ぐに、シャンプーは排出されうる。しかし、その底部から上部にかけて先細りとされたプラスチックボトルでは、逆立てられた場合の静置安定性が悪いという問題がある。
【０００５】
ディスペンサーが装着されたプラスチックボトルでは、シャンプーの残量が少なくなると、誘導管に備えられている吸引口の一部がシャンプーの外に出てしまう。この場合、ディスペンサーは、シャンプーに比べて吸引抵抗の小さい空気を吸引するようになるので、シャンプーは排出されなくなる。この状態にあるボトルでは、シャンプーの全てが使い切れずに、その一部がこのボトル内に残存してしまう。このボトルにはディスペンサーが取り付けられているので、このボトルは逆立てられない。このボトルが逆立てられないので、ボトル内に残存しているシャンプーの取り出しは容易ではない。同様の問題は、生活関連資材として用いられるリンス、トリートメント、コンディショナー、ボディーソープ等の液体においても起きている。
【０００６】
本発明の目的は、プラスチックボトルが逆立てられうる高粘度液体用容器のキャップの提供にある。
【課題を解決するための手段】
【０００７】
本発明に係る高粘度液体用容器のキャップは、胴体と封止体とを備えている。この胴体の最大幅に対するこの封止体の最大幅の比は、１．０１以上３．００以下である。
【０００８】
好ましくは、このキャップでは、上記封止体は、閉塞板とその半径方向外側にフランジとを備えている。このフランジの上面は、平面とされている。このフランジの上面は、キャップの高さ方向において最大高さとなる位置にある。
【０００９】
好ましくは、このキャップでは、上記胴体は、ボトル嵌合部を備えている。このボトル嵌合部は、その内側面に雌ネジを備えている。
【００１０】
本発明に係る高粘度液体用容器は、キャップを備えている。このキャップは、胴体と封止体とを備えている。この胴体の最大幅に対するこの封止体の最大幅の比は、１．０１以上３．００以下である。
【発明の効果】
【００１１】
この高粘度液体用容器に取り付けられるキャップの封止体は、その胴体よりも幅広とされているので、このキャップが装着されたプラスチックボトルは逆立てられた状態で安定に静置されうる。逆立てられた状態でプラスチックボトルが静置されると、ボトル内の液体はその自重で垂下するので液体排出部に貯まる。液体がボトルの液体排出部に貯まっているので、使用者が封止体を外すと直ぐに、液体が注ぎ口から排出される。液体の残量が少なくなったプラスチックボトルにこのキャップが用いられることにより、ボトル内にある液体の全量が容易に排出されうる。
【発明を実施するための最良の形態】
【００１２】
以下、適宜図面が参照されつつ、好ましい実施形態に基づいて本発明が詳細に説明される。
【００１３】
図１（ａ）は本発明の一実施形態に係る高粘度液体用容器のキャップ２が示された側面図であり、図１（ｂ）はその底面図である。図２は、図１のキャップ２の側方断面図である。このキャップ２は、胴体４と封止体６とを備えている。このキャップ２は、胴体４と封止体６とがヒンジ８で繋げられた接続タイプである。このキャップ２が、ヒンジ８が用いられず、胴体４と封止体６とが切り離された分離タイプとされてもよい。この胴体４は、円筒状である。この胴体４は、液体排出部１０とボトル嵌合部１２と封止体嵌合部１４とを備えている。この封止体６は、閉塞板１６と胴体嵌合部１８とフランジ２０とを備えている。なお、図２中、両矢印線Ａは、この封止体６と胴体４との着脱時における封止体６の動きを表している。
【００１４】
液体排出部１０は、その中心に注ぎ口２２を備えている。液体が使用されるとき、まずこの封止体６がこの胴体４から外される。次いで、この注ぎ口２２が下にされて、この注ぎ口２２から液体が排出される。
【００１５】
閉塞板１６は、その中心に閉塞栓２４を備えている。この閉塞栓２４は、この注ぎ口２２に挿入されうる。胴体４に封止体６が取り付けられたとき、この閉塞栓２４が注ぎ口２２に挿入されるので、プラスチックボトル内の液体は漏出しない。
【００１６】
ボトル嵌合部１２は、円筒状である。このボトル嵌合部１２は、その内側面に雌ネジ２６を備えている。この雌ネジ２６は、プラスチックボトルの雄ネジに適合している。したがって、このキャップ２は、プラスチックボトルにねじ込められる。このキャップ２のプラスチックボトルへの取り付けは、容易である。
【００１７】
封止体嵌合部１４は、その外側面に外凸部２８を備えている。胴体嵌合部１８は、その内側面に内凸部３０を備えている。このキャップ２において、封止体嵌合部１４と胴体嵌合部１８とは、円筒状である。封止体６が胴体４に取り付けられたとき、この内凸部３０はこの外凸部２８よりも下に位置するので、この胴体４と封止体６とは容易に外れない。この胴体４と封止体６との嵌合は、確実である。外凸部２８と内凸部３０とは面取されているので、この胴体４と封止体６との脱着時における抵抗力は適切に下げられている。この胴体４と封止体６とは、人の手力で着脱されうる。なお、注ぎ口２２と閉塞栓２４との嵌合により、胴体４と封止体６とが着脱されてもよい。
【００１８】
フランジ２０は、この閉塞板１６の半径方向外側に備えられている。このフランジ２０の外周形状は、円である。このフランジ２０の外径は、胴体４の外径よりも幅広い。このフランジ２０が把持されることにより、このキャップ２はプラスチックボトルにねじ込まれる。なお、このフランジ２０の外周形状に、フランジ２０の掴みやすさが考慮されてもよい。このフランジ２０の外周形状としては、円以外に楕円、六角形及び八角形が例示される。なお、胴体４が把持されることにより、このキャップ２がプラスチックボトルにねじ込まれてもよい。したがって、この胴体４についても、その掴みやすさが考慮された形状とされてもよい。
【００１９】
このフランジ２０の上面３２は、平面とされている。このフランジ２０の上面３２は、このキャップ２の高さ方向において、最大高さとなる位置にある。なお、このキャップ２では、キャップ２の高さ方向における閉塞板１６とフランジ２０との上面３２の位置は、同じである。
【００２０】
このフランジ２０の外径が胴体４の外径よりも幅広い上に、この上面３２が平面とされているので、このキャップ２が取り付けられたプラスチックボトルは、逆立てられた場合の静置安定性に優れる。
【００２１】
このキャップ２の材質としては、ポリエチレン、ポリプロピレン、ポリエチレンテレフタレート、ポリカーボネート、ナイロン、ポリスチレン等の合成高分子が例示される。汎用性及び加工性の観点から、ポリエチレン、ポリプロピレン及びポリエチレンテレフタレートがより好ましい。なお、これらの再生材料が用いられてもよい。このキャップ２は、前述の材料が用いられて、射出成形で製造される。
【００２２】
図１において、両矢印線ＷＡは、この封止体６の最大幅を表している。両矢印線ＷＢは、この胴体４の最大幅を表している。この胴体４の最大幅ＷＢに対するこの封止体６の最大幅ＷＡの比（ＷＡ／ＷＢ）は、１．０１以上３．００以下である。この比（ＷＡ／ＷＢ）が１．０１以上に設定されることにより、このキャップ２が装着されたプラスチックボトルが逆立てられたときの静置安定性が向上する。この観点から、この比（ＷＡ／ＷＢ）は１．０５以上がより好ましく、１．１０以上であることが特に好ましい。この比（ＷＡ／ＷＢ）が３．００以下に設定されることにより、プラスチックボトルが逆立てられて静置された時の占有面積が小さくできる。この観点から、この比（ＷＡ／ＷＢ）は、２．９０以下がより好ましく、２．８０以下が特に好ましい。
【００２３】
図３は、プラスチックボトル３４にこのキャップ２が取り付けられる状況が示された側面図である。図４は、このキャップ２が取り付けられたプラスチックボトル３４が逆立てられている状況が示された側面図である。このキャップ２の使用方法は、次の通りである。ディスペンサー付のプラスチックボトル３４において、液体の残量が少なくなると、サドルヘッドの上下による液体の排出ができなくなる。この状態になると、プラスチックボトル３４からディスペンサーが外される。次いで、図３で示されるように、ディスペンサーの取り付けられていたプラスチックボトル３４のネック３６に、このキャップ２が取り付けられる。このキャップ２が取り付けられた後、図４で示されるように、このプラスチックボトル３４が逆立てられて静置される。このキャップ２には幅広のフランジ２０が備えられているので、このキャップ２が取り付けられたプラスチックボトル３４は、逆立てられた状態での静置安定性に優れている。この逆立てられた状態でプラスチックボトル３４が静置されるので、プラスチックボトル３４内に残存している液体はその自重により垂下していく。その結果、プラスチックボトル３４内に残存している液体は、液体排出部１０に貯まる。液体が液体排出部１０に貯まっているので、使用者がキャップ２の封止体６を外すと直ぐに、液体が注ぎ口２２から排出される。このキャップ２が用いられることにより、プラスチックボトル３４内の液体が余すことなく使用されうる。
【００２４】
図５（ａ）は本発明のさらに他の実施形態に係る高粘度液体用容器のキャップ３８が示された平面図であり、図５（ｂ）はその側方断面図である。このキャップ３８においても、胴体４０と封止体４２とは、ヒンジ４４で繋げられている。このキャップ３８のフランジ４６の形状は、六角形である。フランジ４６の形状が六角形なので、このキャップ３８は握られやすい。キャップ３８が濡れていても、このキャップ３８が把持されている手が滑ることなく、このキャップ３８はプラスチックボトル３４に取り付けられる。この液体排出部１０の内側には、シール４８が備えられている。このシール４８は、架橋ゴムからなるＯリングである。このキャップ３８がプラスチックボトル３４に取り付けられるとプラスチックボトル３４の注ぎ口２２の上面３２がこのシール４８に接触するので、このキャップ３８は密封性に優れる。密封性の優れるキャップ３８では、液体の漏出が防止されうる。
【００２５】
この図５において、両矢印線ＷＣはこの封止体４２の最大幅を表している。この封止体４２において、その最大幅ＷＣは、２つの頂点５０が結ばれる直線において最大となる長さで示される。両矢印線ＷＤは、この胴体４０の最大幅を表している。この胴体４０の最大幅ＷＤに対するこの封止体４２の最大幅ＷＣの比（ＷＣ／ＷＤ）は、１．０１以上３．００以下である。この比（ＷＣ／ＷＤ）が１．０１以上に設定されることにより、このキャップ３８が装着されたプラスチックボトル３４が逆立てられたときの静置安定性が向上する。この観点から、この比（ＷＣ／ＷＤ）は１．０５以上がより好ましく、１．１０以上であることが特に好ましい。この比（ＷＣ／ＷＤ）が３．００以下に設定されることにより、プラスチックボトル３４が逆立てられて静置された時の占有面積が小さくできる。この観点から、この比（ＷＣ／ＷＤ）は、２．９０以下がより好ましく、２．８０以下が特に好ましい。
【産業上の利用可能性】
【００２６】
本発明に係る高粘度液体用容器のキャップは、種々のプラスチックボトルに取り付けられる。
【図面の簡単な説明】
【００２７】
【図１】図１（ａ）は本発明の一実施形態に係る高粘度液体用容器のキャップが示された側面図であり、図１（ｂ）はその底面図である。
【図２】図２は、図１のキャップの側方断面図である。
【図３】図３は、プラスチックボトルにこのキャップが取り付けられる状況が示された側面図である。
【図４】図４は、このキャップが取り付けられたプラスチックボトルが逆立てられている状況が示された側面図である。
【図５】図５（ａ）は本発明のさらに他の実施形態に係る高粘度液体用容器のキャップが示された平面図であり、図５（ｂ）はその側方断面図である。
【符号の説明】
【００２８】
２、３８・・・キャップ
４、４０・・・胴体
６、４２・・・封止体
８、４４・・・ヒンジ
１０・・・液体排出部
１２・・・ボトル嵌合部
１４・・・封止体嵌合部
１６・・・閉塞板
１８・・・胴体嵌合部
２０、４６・・・フランジ
２２・・・注ぎ口
２４・・・閉塞栓
２６・・・雌ネジ
２８・・・外凸部
３０・・・内凸部
３２・・・上面
３４・・・ボトル
３６・・・ネック
４８・・・シール
５０・・・頂点
【図１】
2006240634.tif 000003
【図２】
2006240634.tif 000004
【図３】
2006240634.tif 000005
【図４】
2006240634.tif 000006
【図５】
2006240634.tif 000007